(57)【特許請求の範囲】
【請求項１】
インターネットにアクセスするユーザー装置のユーザーの終了動作(exit behavior)を検出するコンピュータ実装方法であって、前記方法が：
ウェブページにアクセスしているユーザーを検出することと、
前記ウェブページ上で終了動作を検出することと
を含み、
終了動作を検出する前記ステップが、前記ウェブページの終了に関連したカーソルジェスチャ(cursor gesture)を識別する(identifying)ことを含み、
前記ウェブページの終了に関連したカーソルジェスチャを識別することが、前記ウェブページのプレーン(plane)をブレークする(breaking)ことを含み、
前記ウェブページのプレーン(plane)をブレークする(breaking)ことが、ユーザーによって見られているＵＲＬによって識別されるウェブサイトと、ウェブページを見るためにユーザーによって使用されているウェブブラウザの機能のメニューもしくはサブメニュー、キー、またはボタンとの間の接合部分を交差するカーソル移動を含む、
インターネットにアクセスするユーザー装置のユーザーの終了動作を検出するコンピュータ実装方法。
【請求項２】
広告ユニットを前記ウェブページ上に表示するステップをさらに含み、前記広告ユニットが、転換(conversion)のための勧誘(solicitation)を含む１つまたは複数の広告を含み、
前記転換のための勧誘が、将来の伝達のために連絡先情報を要求すること、ユーザーをある製品ページに駆り立てること、ユーザーに友人に照会させるように促すこと、訪問者にソーシャルメディアページに参加するように依頼すること、期間限定提供を示すこと、および訪問者に既存の内部販促／取引を通知することを含む、
請求項１に記載の方法。
【請求項３】
前記ユーザーまたは前記ユーザー装置に関連したデータを収集する(collecting)ことをさらに含み、前記ウェブページ上で終了動作を検出する前記ステップが、前記ユーザーまたは前記ユーザー装置に関連した前記データに少なくとも一部基づく、請求項１に記載の方法。
【請求項４】
前記ユーザーまたは前記ユーザー装置に関連した前記データが：（ｉ）前記ユーザー装置によって利用されているウェブブラウザ；（ｉｉ）前記ユーザーまたはユーザー装置のオペレーティングシステム；（ｉｉｉ）Ｊａｖａｓｃｒｉｐｔが前記ユーザー装置上で有効にされているか無効にされているか；（ｉｖ）前記ユーザー装置のネットワーク接続速度；（ｖ）有効にされているクッキー；（ｖｉ）前記ユーザー装置の画面解像度設定；および（ｖｉｉ）マウスジェスチャの存在；のうちの１つもしくは複数を含む、
請求項３に記載の方法。
【請求項５】
インターネットにアクセスするユーザー装置のユーザーに広告を提供するコンピュータ実装方法であって、前記方法が：
ウェブページにアクセスしているユーザーを検出することと、
前記ユーザーに関連したデータを収集することと、
前記ウェブページ上で終了動作を検出することと、
広告ユニットを前記ウェブページ上に表示することであって、前記広告ユニットが、前記ユーザーに関連した前記データに少なくとも一部基づく、１つまたは複数の広告を含む、広告ユニットを前記ウェブページ上に表示することと
を含み、
前記終了動作が、前記ウェブページ上で前記ユーザーによって制御される追跡された移動(tracked movement)に基づき、かつ、前記ユーザーが前記ウェブページを離れようとすることを示す動作を含み、
前記ウェブページ上で前記ユーザーによって制御される前記追跡された移動が、前記ウェブページ上でのカーソルジェスチャを含み、
前記ユーザーが前記ウェブページを離れようとすることを示す前記動作が、前記ウェブページのプレーンを前記カーソルジェスチャでブレークすることを含み、
前記ウェブページのプレーン(plane)をブレークする(breaking)ことが、ユーザーによって見られているＵＲＬによって識別されるウェブサイトと、ウェブページを見るためにユーザーによって使用されているウェブブラウザの機能のメニューもしくはサブメニュー、キー、またはボタンとの間の接合部分を交差するカーソル移動を含む、
インターネットにアクセスするユーザー装置のユーザーに広告を提供するコンピュータ実装方法。
【請求項６】
前記ユーザーに関連した前記データが：（ｉ）ユーザー検索基準(search criteria)；（ｉｉ）ユーザー識別情報；（ｉｉｉ）ユーザーの好み(preferences)；（ｉｖ）ユーザー位置；（ｖ）ブラウザ情報；（ｖｉ）ユーザー装置特性；および（ｖｉｉ）ユーザー照会履歴(referral history)；のうちの１つまたは複数を含む、請求項５に記載の方法。
【請求項７】
前記ユーザーに関連したデータを収集することが：（ｉ）前記ウェブページ上の前記ユーザー検索基準；（ｉｉ）前記ユーザーに関連したログイン情報；（ｉｉｉ）前記ユーザーに関連した閲覧履歴；（ｉｖ）および前記ユーザー装置に関連付けられた識別子；のうちの１つまたは複数を取得することを含む、請求項６に記載の方法。
【請求項８】
広告ユニットを前記ウェブページ上に表示する前に、所定の期間の時間遅延が経過するのを可能にすることと、
前記時間遅延が経過した後に、前記ウェブページ上で終了動作の後続の検出(subsequent detection)を実行することとをさらに含み、
終了動作がその後に検出されない場合、前記広告ユニットが前記ウェブページ上に表示されない、
請求項５に記載の方法。
【請求項９】
広告ユニットを前記ウェブページ上に表示することが、
ウィンドウに前記１つまたは複数の広告を投入することと、
前記ウィンドウを前記ウェブページの少なくとも一部上に(over at least a portion of)表示することと、
前記ウィンドウが前記ウェブページよりもコントラストが明るくなるように、前記ウェブページを暗くすることと、
を含む、請求項５に記載の方法。
【請求項１０】
前記ウェブページ上で終了動作を検出することと併せて、前記ウェブページ上の前記ユーザーの関与(engagement)レベルを判断することと、
前記ユーザーの前記関与レベルが、関与の基準レベルに関連した基準値を満たすか、または上回る場合に、前記ユーザーを関与しているとして分類することと
をさらに含み、
前記広告ユニットが前記ウェブページ上に表示されない可能性がある、
請求項５に記載の方法。
【請求項１１】
前記広告ユニット内の前記１つまたは複数の広告の各々が：（ｉ）前記１つもしくは複数の広告に関連した情報を見るための広告ウェブページへのリンク；（ｉｉ）前記１つもしくは複数の広告に関連したテキスト記述；（ｉｉｉ）前記１つもしくは複数の広告に関連したクリック可能なビデオ；および（ｖｉ）転換のための勧誘；のうちの１つまたは複数を含み、
前記転換のための勧誘が、将来の伝達のために連絡先情報を要求すること、ユーザーをある製品ページに駆り立てること、ユーザーに友人に照会させるように促すこと、訪問者にソーシャルメディアページに参加するように依頼すること、期間限定提供を示すこと、および訪問者に既存の内部販促／取引を通知することを含む、
請求項５に記載の方法。
【請求項１２】
コンピュータ可読記憶媒体上のコード化されたコンピュータプログラムであって、
ウェブページにアクセスしているユーザーを検出することと、
前記ユーザーに関連したデータを収集することと、
前記ウェブページ上で終了動作を検出することと、
広告ユニットを前記ウェブページ上に表示することであって、前記広告ユニットが、前記ユーザーに関連した前記データに少なくとも一部基づく１つまたは複数の広告を含む、
広告ユニットを前記ウェブページ上に表示することと
を行うための命令を含み、
前記終了動作が、前記ウェブページ上で前記ユーザーによって制御される追跡された移動に基づき、かつ、前記ユーザーが前記ウェブページを離れようとすることを示す動作を含み、
前記ウェブページ上で前記ユーザーによって制御される前記追跡された移動が、前記ウェブページ上でのカーソルジェスチャを含み、
前記ユーザーが前記ウェブページを離れようとすることを示す前記動作が、前記ウェブページのプレーンを前記カーソルジェスチャでブレークすることを含み、
前記ウェブページのプレーン(plane)をブレークする(breaking)ことが、ユーザーによって見られているＵＲＬによって識別されるウェブサイトと、ウェブページを見るためにユーザーによって使用されているウェブブラウザの機能のメニューもしくはサブメニュー、キー、またはボタンとの間の接合部分を交差するカーソル移動を含む、
コンピュータプログラム。
【請求項１３】
前記ユーザーに関連した前記データが：（ｉ）ユーザー検索基準；（ｉｉ）ユーザー識別情報；（ｉｉｉ）ユーザーの好み；（ｉｖ）ユーザー位置；（ｖ）ブラウザ情報；（ｖｉ）ユーザー装置特性；（ｖｉｉ）以前の訪問履歴；および（ｖｉｉｉ）照会履歴；のうちの１つまたは複数を含む、請求項１２に記載のコンピュータプログラム。
【請求項１４】
前記ユーザーに関連したデータを収集することが：（ｉ）前記ウェブページ上の前記ユーザー検索基準；（ｉｉ）前記ユーザーに関連したログイン情報；（ｉｉｉ）前記ユーザーに関連した閲覧履歴；（ｉｖ）および前記ユーザー装置に関連付けられた識別子；のうちの１つまたは複数を取得することを含む、請求項１３に記載のコンピュータプログラム。
【請求項１５】
広告ユニットを前記ウェブページ上に表示する前に、所定の期間の時間遅延が経過するのを可能にすることと、
前記時間遅延が経過した後に、前記ウェブページ上で終了動作の後続の検出を実行することと
を行うための命令をさらに含み、
終了動作がその後に検出されない場合、前記広告ユニットが前記ウェブページ上に表示されない、
請求項１２に記載のコンピュータプログラム。
【請求項１６】
広告ユニットを前記ウェブページ上に表示するための命令が、
ウィンドウに前記１つまたは複数の広告を投入することと、
前記ウィンドウを前記ウェブページの少なくとも一部上に表示することと、
前記ウィンドウが前記ウェブページよりもコントラストが明るくなるように、前記ウェブページを暗くすることとを行うための命令を含む、
請求項１２に記載のコンピュータプログラム。
【請求項１７】
前記ウェブページ上で終了動作を検出することと併せて、前記ウェブページ上の前記ユーザーの関与レベルを判断することと、
前記ユーザーの前記関与レベルが、関与の基準レベルに関連した基準値を満たすか、または上回る場合に、前記ユーザーを関与しているとして分類することとを行うための命令をさらに含み、
前記広告ユニットが前記ウェブページ上に表示されない可能性がある、
請求項１２に記載のコンピュータプログラム。
【請求項１８】
前記広告ユニット内の前記１つまたは複数の広告の各々が：（ｉ）前記１つもしくは複数の広告に関連した情報を見るための広告ウェブページへのリンク；（ｉｉ）前記１つもしくは複数の広告に関連したテキスト記述；および（ｉｉｉ）前記１つもしくは複数の広告に関連したクリック可能なビデオ；のうちの１つまたは複数を含む、請求項１２に記載のコンピュータプログラム。
【請求項１９】
請求項１２に記載の前記コンピュータプログラムを含むシステム。
【発明の詳細な説明】
【技術分野】
【０００１】
本開示は、ウェブページ上のユーザーの終了動作の検出に関する。本開示は、ウェブページ上でのカーソル移動またはジェスチャの追跡によって終了動作を検出することにさらに関する。
【背景技術】
【０００２】
ウェブサイトのホストに収益を提供するために、オンライン広告が広範なウェブサイト上で使用される。例えば、広告主は、ウェブサイトの部分に広告を投入するためにホストに支払い得る。広告は、例えば、ウェブサイトの主たるコンテンツと並んでマージン内に、ポップアップウィンドウとして、またはウェブサイトのコンテンツが提供される前に全面広告として提供され得る。広告は、しばしば、そのウェブサイトにアクセスしているユーザーを対象とする。多くの場合、ユーザーがウェブサイト上のコンテンツを読もうとしているとき、ユーザーは、広告を、煩わしいか、または厄介であると考える。大抵、ユーザーは単に広告を無視し得る。本開示は、ウェブページにアクセスしているユーザーの終了動作を検出する方法に関する。終了動作を検出することにより、もっと意図されたインターネットコンテンツがインターネットユーザーに配信できるのは、訪問者のセッションが効果的に終わり、従って、彼の訪問がそのコンテンツによって中断されないからである。いくつかの実施形態では、インターネットコンテンツは、１つまたは複数の広告から成る、広告ユニットを含む。
【発明の概要】
【課題を解決するための手段】
【０００３】
本明細書は、ウェブサイトのユーザーによって示される終了動作を条件とする、電子媒体内のコンテンツの提示に関連した方法、機器およびコンピュータプログラム製品を説明する。
【０００４】
本開示は、インターネットにアクセスするユーザー装置を操作する、ウェブページ上のユーザーの終了動作を検出する方法に関する。ユーザー装置は、ユーザー装置のユーザーがそれを通じて、ユーザー装置のカーソル可視画面またはモニターの移動、場所、速度および位置を制御し得る追跡装置を含む。いくつかの実施形態では、本開示は、ウェブページ上のユーザーの終了動作を検出する方法に関し、ユーザーはユーザー装置を通してインターネットにアクセスする。いくつかの実施形態では、本方法は：（ａ）ウェブページにアクセスするユーザー装置のユーザーを検出すること；および（ｂ）ウェブページ上のユーザーによって制御されるカーソル移動を追跡することを含む。いくつかの実施形態では、本開示は、終了動作に関連したカーソルジェスチャを検出することを含む方法に関する。いくつかの実施形態では、本明細書で開示する方法のいずれかは、終了動作に関連したカーソルジェスチャを検出するステップを含む。
【０００５】
いくつかの実施形態では、本開示は、インターネットにアクセスするユーザー装置のユーザーに広告を提供する方法に関する。いくつかの実施形態では、本方法は、ウェブページにアクセスしているユーザーを検出すること；ユーザーに関連したデータを収集すること；および終了動作を検出することを含む。いくつかの実施形態では、終了動作が検出されると、広告ユニットがウェブページ上に表示される。広告ユニットは、ユーザーに関連したデータに少なくとも一部基づく、１つまたは複数の広告を含む。
【０００６】
本開示は、本明細書で説明するいずれかの方法を実行するための命令を含む、コンピュータ可読記憶媒体上のコード化されたコンピュータプログラム製品にさらに関する。いくつかの実施形態では、本開示は、インターネットにアクセスするユーザー装置のユーザーに広告を提供する方法に関する。いくつかの実施形態では、本命令は、ウェブページにアクセスしているユーザーを検出し、そのユーザーに関連したデータを収集するためである。いくつかの実施形態では、本命令はさらに、終了動作を検出する。いくつかの実施形態では、本命令は、終了動作が検出されると、広告ユニットをウェブページ上に表示させる。いくつかの実施形態では、広告ユニットは、ユーザーに関連したデータに少なくとも一部基づく、１つまたは複数の広告を含む。いくつかの実施形態では、広告ユニットは、本明細書で開示する１つまたは複数の方法によって収集されたデータに少なくとも一部基づく、１つまたは複数の広告を含む。いくつかの実施形態では、広告ユニットは、ユーザーまたはユーザー装置に関連したデータに少なくとも一部基づく、１つまたは複数の広告を含む。
【０００７】
いくつかの実施形態では、本開示は、インターネットにアクセスするユーザー装置のユーザーの終了動作を検出するコンピュータ実装方法に関し、本方法は：ウェブページにアクセスしているユーザーを検出すること；ウェブページ上で終了動作を検出すること；ウェブページ上に広告ユニットを表示することを含み、広告ユニットは、１つまたは複数の広告を含み、その広告は、販売を転換する究極の目的をもつ勧誘を含む。いくつかの実施形態では、本開示は、インターネットにアクセスするユーザー装置のユーザーの終了動作を検出するコンピュータ実装方法に関し、本方法は：ウェブページにアクセスしているユーザーを検出すること；ウェブページ上で終了動作を検出すること；ウェブページ上に広告ユニットを表示することを含み、広告ユニットは、１つまたは複数の広告を含み、その広告は、ウェブページに関連した製品またはサービスまたはメッセージの転換のための勧誘を含む。いくつかの実施形態では、本開示は、インターネットにアクセスするユーザー装置のユーザーの終了動作を検出するコンピュータ実装方法に関し、本方法は：ウェブページにアクセスしているユーザーを検出すること；ウェブページ上で終了動作を検出すること；ウェブページ上に広告ユニットを表示することを含み、広告ユニットは、１つまたは複数の広告を含み、その広告は、ウェブページに関連した製品またはサービスまたはメッセージの転換のための勧誘を含み；ウェブページの終了に関連したカーソルジェスチャを識別することが：（ｉ）所定の値以下のカーソル加速を識別すること；（ｉｉ）ウェブページのプレーンをブレークすること；および（ｉｉｉ）ウェブページを離れることに関連付けられたウェブページの位置へのカーソル移動を識別すること；のうちの１つまたはそれらの組合せを含む。
【０００８】
いくつかの実施形態では、本開示は、ユーザーディスプレイを分割する方法に関する。いくつかの実施形態では、本開示は、ディスプレイ分割のコンピュータ実装方法に関し、本方法は：ウェブページにアクセスしているユーザーを検出すること；ユーザーに関するデータを収集すること；およびユーザーディスプレイを、ユーザーのデータに基づくピクシレーションに対応する座標に分割することを含む。いくつかの実施形態では、本方法は、特定の座標または座標の組における検出機能をアクティブ化または非アクティブ化することをさらに含む。
【０００９】
本開示の前述および他の態様は、添付の図に関連して読まれる場合に、以下の詳細な説明から最も良く理解される。本開示を例証する目的で、図示した実施形態はより大きな開示を代表するが、本開示は開示する特定の手段に制限されないことが理解される。図面に含まれるのは以下の図である。
【図面の簡単な説明】
【００１０】
【図１】終了動作を検出し、終了動作の検出に基づき、インターネットユーザーにユーザー装置で広告を提供するように構成されたシステムのブロック図である。
【図２Ａ】終了動作検出が利用されるウェブページを示す一連のスクリーンショットである。
【図２Ｂ】終了動作検出が利用されるウェブページを示す一連のスクリーンショットである。
【図３】インターネットにアクセスするユーザー装置のユーザーによってアクセスされたウェブページ上で終了動作を検出する方法の流れ図である。
【図４】終了動作の検出に基づき、広告ユニットをインターネットユーザーにユーザー装置で提供する方法の流れ図である。
【図５】ユーザーが終了意図を示した後に、ユーザーの好み、ブラウザ情報、ユーザー装置の特性、および照会履歴に基づき、広告がユーザーにユーザー装置で表示されるウェブページの描写を示す。
【図６】ユーザーの好み、ブラウザ情報、ユーザー装置の特性、および照会履歴に基づき、広告がユーザーにユーザー装置で表示されるウェブページの描写を示す。広告は、ユーザーがそれによって、彼または彼女の電子メールアドレスを：（ｉ）ユーザー検索基準；（ｉｉ）ユーザー識別情報；（ｉｉｉ）ユーザーの好み；（ｉｖ）ユーザー位置；（ｖ）ブラウザ情報；（ｖｉ）ユーザー装置特性；（ｖｉｉ）ユーザー照会履歴（ｖｉｉｉ）ユーザー装置によって利用されているウェブブラウザ；（ｉｘ）ユーザーまたはユーザー装置のオペレーティングシステム；（ｘ）Ｊａｖａｓｃｒｉｐｔ（登録商標）がユーザー装置上で有効にされているか無効にされているか；（ｘｉ）ユーザー装置のネットワーク接続速度；（ｘｉｉ）有効にされているクッキー；（ｘｉｉｉ）ユーザー装置の画面解像度設定；ならびに（ｘｉｖ）マウスジェスチャの存在、加速および／または方向；のうちの１つもしくは複数に関連したデータベースに登録し得る、ユーザーへの勧誘の形である。
【発明を実施するための形態】
【００１１】
本明細書で使用される場合、「広告」は、その中で、１つもしくは複数の製品、サービス、アイディア、メッセージ、人々、組織または他の品目が識別されて販売促進される、任意の形の伝達を意味する。いくつかの実施形態では、広告は、商業的な販売促進または他の伝達に限定されない。いくつかの実施形態では、広告は、印刷もしくは電子メディアまたは放送で公開された公示などの、公共サービス情報または任意の他のタイプの公示である。いくつかの実施形態では、広告は、スポンサー提供のコンテンツであるか、またはスポンサー提供のコンテンツを含む。いくつかの実施形態では、広告または販売促進情報は、製品またはサービスの販売を促進し得る。いくつかの実施形態では、広告または販売促進情報は、ユーザー装置のユーザーが終了したいと欲するウェブページに関連した製品またはサービスの販売を促進し得る。いくつかの実施形態では、広告は、将来の伝達のために連絡先情報を要求すること、ユーザーをある製品ページに駆り立てること、ユーザーに友人に照会させるように促すこと、訪問者にソーシャルメディアページに参加するように依頼すること、期間限定提供を示すこと、および訪問者に既存の内部販促／取引を通知することを含むが、それらに限定されない、転換活動のための勧誘であるか、またはそれを含む。いくつかの実施形態では、広告は、バナー広告などの、グラフィカル広告、テキストのみの広告、画像広告、音声広告、ビデオ広告、または任意のかかる構成要素の１つもしくは複数を組み合わせた広告、実行可能コード、または任意の他の媒体、コンテンツ、またはインタラクティブ広告および同様のものなどである。いくつかの実施形態では、広告は、リンク、メタ情報、および／またはマシン実行可能命令などの埋込み情報を含む。広告は、様々な固有の特徴も有し得る。いくつかの実施形態では、かかる特徴は、しばしば、広告のタイプに応じ、用途によって、および／または広告主によって指定される。例えば、テキスト広告の場合、広告特徴は、タイトル行、広告文、および埋込みリンクを含み得る。画像広告の場合、広告特徴は、画像、実行可能コード、および埋込みリンクを含み得る。いくつかの実施形態では、広告は、米国特許第８，２２４，６９３号；第８，１６５，９１５号；第８，１６０，９２５号で開示された広告であり、それらは、参照により全体として本明細書に組み込まれる。
【００１２】
本明細書で使用される場合、「広告ユニット」は、１つもしくは複数の広告を含むウィンドウ、ディスプレイ、もしくはコンテンツ領域；または、広告もしくは複数の広告がその上に投入されるウィンドウ、ディスプレイ、もしくはコンテンツ領域を意味する。いくつかの実施形態では、広告ユニットは、転換動作を提供または勧誘する勧誘（テキストまたはリンク）を含む。いくつかの実施形態では、広告ユニットは、広告の将来の伝達または転換動作の勧誘のために使用できる、ユーザーからの情報を要求する勧誘（テキストまたはリンク）を含む。いくつかの実施形態では、広告または広告ユニットは、カーソル表示またはカーソル表示の改変を含まない。
【００１３】
いくつかの実施形態では、広告ユニットは、ユーザーの興味に関連した１つまたは複数の広告を含む。いくつかの実施形態では、本明細書で説明するシステムまたはプログラム製品は、ユーザー装置から受信した情報に基づき、１つまたは複数の関連広告を取得および提供する。いくつかの実施形態では、本明細書で説明するシステムまたはプログラム製品は、装置のユーザーがそこから出ようとするウェブサイトから１つまたは複数の関連広告を取得および提供する。いくつかの実施形態では、本明細書で説明するシステムまたはプログラム製品は、装置のユーザーがそこから出ようとするウェブサイトからの製品に関連した広告リポジトリから１つまたは複数の関連広告を取得および提供する。いくつかの実施形態では、本明細書で説明するシステムまたはプログラム製品は、装置のユーザーがそこから出ようとするウェブサイトに関連した広告リポジトリから１つまたは複数の関連広告を取得および提供する。いくつかの実施形態では、本明細書で説明するシステムまたはプログラム製品は、バックエンド処理システムを使用して、広告リポジトリから広告情報を取得する。いくつかの実施形態では、本システムまたはプログラム製品は、巡回モジュールからの情報、様々なキーワード、広告とコンテンツとの間の様々な統計的関連性、および／または発行元に関連した好みの情報、および／またはウェブサイトに関連した好みの情報を使用して、１つまたは複数の関連広告を取得する。いくつかの実施形態では、本システムまたはプログラム製品は、ユーザーに関連したデータを使用して１つまたは複数の関連広告を取得する。
【００１４】
いくつかの実施形態では、表示された広告または広告ユニットをユーザーがクリックするか、または別の方法でそれとやりとりすると、埋め込まれたコード断片がユーザー装置に、本明細書で説明するシステムまたはプログラム製品に接触するように指示する。このイベント中、ユーザー装置は、署名されたブラウザクッキーなどの、情報小包をシステムまたはプログラム製品から受信し得る。いくつかの実施形態では、情報小包は、選択された広告の識別子、発行元の識別子、ならびに／または広告がユーザーによって選択された日付および／もしくは時刻などの、情報を含む。いくつかの実施形態では、情報小包は、転換動作または他のユーザー取引の処理を容易にする。いくつかの実施形態では、ユーザー装置は次いで、選択された広告に関連した広告主所有者に向け直されるようになる。いくつかの実施形態では、ユーザー装置は、要求を関連した広告主に送信し、次いで、ランディングページを広告主からロードする。いくつかの実施形態では、ユーザーは、製品またはサービスの購入、登録、電子メーリングリストへの参加など、広告ユニットで転換動作を実行する。いくつかの実施形態では、本明細書で説明するシステムまたはプログラム製品は、コード断片を提供し、それは、購入後に提示されるウェブページ内のスクリプトなどの転換確認ページスクリプト内に含まれ得る。いくつかの実施形態では、ユーザー装置はコード断片を実行し、それは、本明細書で説明するシステムまたはプログラム製品に接触し、転換データをシステムまたはプログラム製品に報告する。いくつかの実施形態では、システムまたはプログラム製品は、転換データを包含するかまたは含み、そのいずれかは、転換タイプおよび数ならびに／またはクッキーからの情報を含む。いくつかの実施形態では、本明細書で説明するシステムまたはプログラム製品は、転換データを含み、かつ保持する、転換データリポジトリを含む。
【００１５】
この適用のため、「カーソルジェスチャ」という用語は、ユーザー装置を通じてインターネット上のウェブサイトにアクセスしているユーザーによって制御される画面またはモニター上のカーソルの移動、方向、位置、速度、またはベクトルのうちの１つまたは複数を意味する。いくつかの実施形態では、ユーザーはカーソルジェスチャを、追跡装置を通して制御する。いくつかの実施形態では、追跡装置は：タッチスクリーン、タブレット画面、ラップトップのキーまたはボタン、キーボード、ユーザーの動きを検出して、ユーザーの動きを対応する画面上のカーソル移動に変換するキネティック（ｋｉｎｅｔｉｃ）検出システム、トラックボール、トラックパッド、マウス、ジョイスティック、および音声起動カーソル指示装置または他の同様の装置のうちの１つまたは複数から選択される。
【００１６】
「ウェブサイトの終了に関連したカーソルジェスチャ」という用語は、ユーザーによって見られているインターネットのウェブページを閉じるか、または終了するユーザーの意図に関連する１組のカーソルジェスチャを意味する。いくつかの実施形態では、ウェブサイトの終了に関連したカーソルジェスチャは：所定の値以下のカーソル加速；ウェブページのプレーンのブレーク；およびウェブページを離れる機能に関連付けられたウェブページの位置へのカーソル移動；から選択されたカーソルジェスチャの１つまたは組合せである。いくつかの実施形態では、ウェブページを離れる機能に関連付けられたウェブページの位置は、アドレスバー、検索バー、新しいウェブページを開くタブボタン、または「戻る」ボタンである。例えば、通常のウェブブラウザの使用を通して、ウェブブラウザ機能に関連付けられたオプションのメニュー、ボタン、または機能が、ウェブページの上部で強調表示されて、選択できる。ウェブブラウザ機能は、見られているウェブサイトの任意のアドレス可能な位置とは無関係な位置または複数の位置で、画面上に配置される。ウェブブラウザ機能と、見られているウェブサイトのアドレス可能な位置との間の接合部分を定義する画面の位置または複数の位置がプレーン（ｐｌａｎｅ）である。例えば、いくつかの実施形態では、コンピュータプログラムは、ブラウザウィンドウを、画面上の各画素位置に対応する「ｘ」水平値および「ｙ」垂直値をもつ座標系に分割する。いくつかの実施形態では、左上角は、座標（０，０）（ｘ＝０およびｙ＝０）を表し、右下は、ｘ値が、画素が基準点（０，０）から右に離れるほどますます正であり、ｙ値が、画素位置が基準点（０，０）から下に離れるほどますます正である、点（ｘ，ｙ）を表す。いくつかの実施形態では、所定のｙ値は、ウェブページがユーザーの画面上で終了する場所と、ウェブブラウザ機能が開始する場所の接合部分に位置付けられている画素の水平線に対応するように設定される。いくつかの実施形態では、所定のｘ値は、ウェブページがユーザーの画面上で終了する場所と、ウェブブラウザ機能が開始する場所の接合部分に位置付けられている画素の垂直線に対応するように設定される。いくつかの実施形態では、ｙ値すなわち接合部分値座標は（ｘ，２）である。当業者は、各ユーザーのユーザー設定、オペレーティングシステム、ブラウザ、および解像度に基づき、ウェブブラウザとウェブページとの間の接合部分である画素の水平線に対応する、適切なｙ値（すなわち接合部分値）を理解するであろう。いくつかの実施形態では、ソフトウェアは、デッドゾーンを作成するように設定でき、それにより、ソフトウェアは、ユーザーのディスプレイ上の少なくとも１つ、２つ、３つまたは４つの座標の組によって定義されるウェブ表示の一部または領域を検出しない。いくつかの実施形態では、ソフトウェアは、デッドゾーンを作成するように設定でき、それにより、ソフトウェアは、ユーザーのディスプレイ上の少なくとも１つ、２つ、３つ、４つまたはそれ以上の座標の組によって定義されるウェブ表示の一部または領域を検出しない。
【００１７】
同時に標準設定接合部分値（（ｘ，２）など）を設定して、ソフトウェアは、画面上のカーソルの位置を検出して、（ｘ，ｙ）値を監視する。ユーザーが画面上でカーソルを上方に移動させると、ソフトウェアは、カーソル位置の分割された座標を検出する。カーソルの上方移動がある場合、座標系のｙ値が減少するはずである。ソフトウェアが、カーソル位置がｙの接合部分値に近づいているのを検出すると、ソフトウェアは広告をトリガーする。いくつかの実施形態では、カーソルが接合部分値を交差すると、広告がトリガーされる。いくつかの実施形態では、カーソルが接合部分値を交差して加速すると、広告がトリガーされる。いくつかの実施形態では、ソフトウェアが、以下の検出された特性の１つまたは複数と組み合わせて、カーソル位置が接合部分値を交差したのを検出すると、広告が表示されるか、またはトリガーされる：（ｉ）ユーザー装置によって利用されているウェブブラウザのタイプ；（ｉｉ）ユーザーまたはユーザー装置のオペレーティングシステム；（ｉｉｉ）Ｊａｖａｓｃｒｉｐｔがユーザー装置上で有効にされているか無効にされているか；（ｉｖ）ユーザー装置のネットワーク接続速度；（ｖ）有効にされているクッキー；（ｖｉ）ユーザー装置の画面解像度設定；（ｖｉｉ）マウスジェスチャの存在および／または加速および／または方向；（ｖｉｉｉ）ユーザー検索基準；（ｉｘ）ユーザー識別情報；（ｘ）ユーザーの好み；（ｘｉ）ユーザー位置；（ｘｉｉ）ブラウザ情報；（ｘｉｉｉ）ユーザー装置特性；ならびに（ｘｉｖ）ユーザー照会履歴。「１つまたは複数と組み合わせて」という用語は、いくつかの実施形態では、ソフトウェアが、前述の（ｉ）から（ｘｉｖ）までの特性のいずれか個々または複数の、接合部分値を交差するカーソル位置の検出との任意の組合せを検出することを意味する。言い換えると、いくつかの実施形態では、ソフトウェアが、本明細書で説明するいずれかの特性のうちの１つまたは複数と組み合わせて、カーソルが、ウェブページのプレーンをブレークするのを検出すると、ソフトウェアは、広告をトリガーし得る。いくつかの実施形態では、ソフトウェアは、ユーザーの分割された画面上でのカーソルの加速と組み合わせて、カーソルのプレーンのブレークを検出する。いくつかの実施形態では、ソフトウェアは、（ｘ，ｙ）値が変化している速度を検出する。いくつかの実施形態では、ソフトウェアは、接合部分値に向けてのカーソルの加速と組み合わせて、プレーンのブレークを検出する。
【００１８】
ユーザーのディスプレイ上の特定の水平画素線を交差するカーソル位置の検出に対して、任意の接合部分値が設定され得ることを理解されたい。ソフトウェアは、接合部分値に対してデフォルト設定を２にし得るが、ウェブサイトの所有者が広告の表示をトリガーしたい頻度に応じて、接合部分値よりも低い線が、検出目的で設定され得ることを理解されたい。例えば、いくつかの実施形態では、高解像度のＰＣ上のＩｎｔｅｒｎｅｔ  Ｅｘｐｌｏｒｅｒに対して適合されたユーザー装置上のユーザーの検出後、ソフトウェアは、（ｘ，２）のデフォルト設定を有し得る。ウェブページの所有者がソフトウェアにもっと頻繁に広告をトリガーさせたい場合、ソフトウェアは、画素の（ｘ，２０）水平線を交差するカーソル位置および加速を検出するようにソフトウェアを設定できる。いくつかの実施形態では、ソフトウェアは、画素の水平線を定義するｙ値によって定義されるプレーンを通過する加速または減速と組み合わせて、カーソル位置の垂直移動を検出する。いくつかの実施形態では、ソフトウェアが、ユーザーディスプレイ上の接合部分値または任意の設定された画素の水平線を交差するカーソル移動を検出すると、ユーザーはウェブサイトのプレーンをブレークしている。
【００１９】
いくつかの実施形態では、単独で、または１つもしくは複数の他のカーソルジェスチャと組み合わせた、ウェブサイトのプレーンのユーザーのブレークは、現在、見られているウェブページを離れるか、または終了しようとする意志を示す。いくつかの実施形態では、終了動作の検出は、ウェブサイトの終了に関連したカーソルジェスチャの検出または識別を含み、カーソルジェスチャは、ウェブブラウザの終了またはクローズに関連付けられた画面上の位置へのカーソルの加速に付随して起こるプレーンのブレークを含む。前述の例示的実施形態の場合には、ウェブブラウザの終了またはクローズ機能は、通常、画面の右上に（デフォルト設定により）配置され、「ｘ」ボタンとして示される。いくつかの実施形態では、本方法は、ユーザーによって見られている画面またはモニターのウェブサイト上の位置から右上へのカーソルの加速された移動と組み合わせて、プレーンをブレークするカーソルジェスチャを検出することを含む。いくつかの実施形態では、本方法は、ユーザーによる機能操作の実行を含まない。いくつかの実施形態では、本明細書で開示する方法は、ユーザーによって見られているウェブページ上の任意のボタンまたは機能エリアのユーザーのクリック、選択、またはアップロード時に、広告の表示をトリガーすることを含まない。むしろ、いくつかの実施形態では、本発明は、ユーザーのディスプレイのある点またはエリアに近づくか、または交差するユーザーのカーソルジェスチャに関し、その点またはエリアは、ユーザー情報と組み合わせて、広告ユニットのウェブページ上への表示をトリガーし、広告ユニットは、ユーザーに関連したデータに少なくとも一部基づく１つまたは複数の広告を含む。いくつかの実施形態では、本明細書で開示する方法は、ユーザーディスプレイ上の任意のウィンドウまたはオブジェクトを移動させることを欲しているか、または移動もしくは操作しているいかなるユーザーも含まない。
【００２０】
本明細書で使用される場合、「転換」または「転換動作」という用語は、装置のユーザーが取引を完結するか、またはユーザーが、広告、広告ユニット、もしくはユーザーに関連したデータに関連した取引を完結するように勧誘される、動作または複数の動作を意味する。例えば、いくつかの実施形態では、転換は、ユーザーが、彼らを広告主のウェブページに差し向ける広告をクリックし、広告主のウェブページを離れる前にそのウェブページ上で購入を完結すると生じる。別の例では、転換は、電子メールアドレスをリポジトリに提供するユーザーに対する広告の表示である。いくつかの実施形態では、リポジトリを所有する広告主またはウェブ発行元は、ユーザーの電子メールまたは他のユーザーデータを使用して、後日または所定の時間（例えば、７日）内にユーザーにさらなる広告または販売促進情報を配信する。
【００２１】
ウェブページの「プレーンをブレークすること（ｂｒｅａｋｉｎｇ  ｔｈｅ  ｐｌａｎｅ）」または「プレーンのブレーク（ｂｒｅａｋｉｎｇ  ａ  ｐｌａｎｅ）」という用語は、ユーザーによって見られているＵＲＬによって識別されるウェブサイトと、ウェブページを見るためにユーザーによって使用されているウェブブラウザの機能のメニューもしくはサブメニュー、キー、またはボタンとの間の接合部分を交差するカーソル移動を意味する。いくつかの実施形態では、接合部分は、ユーザーのディスプレイの長さまたは幅全体に渡って延在し得る水平線または垂直線であり得る。いくつかの実施形態では、接合部分は、ユーザーのディスプレイの長さまたは幅の一部に渡ってのみ延在し得る水平線または垂直線であり得る。いくつかの実施形態では、ウェブページのプレーンをブレークすることは、ウェブブラウザまたはウェブページ上の画素の任意の所定の水平線を交差するカーソル移動を意味する。いくつかの実施形態では、プレーンをブレークすることは、ユーザーによって見られているＵＲＬによって識別されるウェブサイトと、ウェブページアドレスと通常関連付けられたウェブページを見るためにユーザーによって使用されているウェブブラウザの機能のメニューもしくはサブメニュー、キー、またはボタンとの間の接合部分を交差するカーソル移動を意味する。いくつかの実施形態では、単独で、または１つもしくは複数の他のカーソルジェスチャと組み合わせた、ウェブサイトのプレーンを交差するユーザーのカーソルジェスチャは、現在、見られているウェブページを離れるか、または終了しようとする意志を示す。いくつかの実施形態では、終了動作の検出は、ウェブブラウザの終了またはクローズに関連付けられた画面上の位置へのカーソルの加速に付随して起こるプレーンをブレークするカーソルジェスチャの検出または識別を含む。前述の例示的実施形態の場合には、ウェブブラウザの終了またはクローズ機能は、通常、画面の右上に（デフォルト設定により）配置され、「ｘ」ボタンとして示される。いくつかの実施形態では、本方法は、ユーザーによって見られている画面またはモニターのウェブサイト上の位置から右上へのカーソルの加速された移動と組み合わせて、プレーンをブレークするカーソルジェスチャを検出することを含む。いくつかの実施形態では、本方法は、プレーンのブレークを識別することを含み、プレーンのブレークは、ウェブブラウザの機能に関連付けられた画面上の任意の位置で検出され得る。いくつかの実施形態では、本方法は、プレーンのブレークを識別することを含み、プレーンのブレークは、ウェブブラウザの終了機能に関連付けられた画面上の任意の位置で検出され得る。いくつかの実施形態では、本方法は、プレーンのブレークを識別することを含み、プレーンのブレークは、ユーザーによって見られているウェブサイトを変更するか、または離れることに向けたウェブブラウザの機能に関連付けられた画面上の任意の位置で検出され得る。当業者は、ウェブブラウザの設定は、ウェブブラウザの機能が画面の上部、下部、側部または角にあるアドレス可能なボタンまたはリボンの形にできるように、変更され得ることを容易に理解できる。本開示は、���明細書で説明する任意の方法に関し、ユーザーの終了動作の検出が、画面の上部、下部、側部または角にあるアドレス可能なボタンまたはリボンにおいてウェブサイトのプレーンをブレークするカーソルの検出を含み、プレーンをブレークするカーソルの検出は、それらのウェブブラウザ設定に関してユーザーによって収集されたデータに少なくとも一部基づく。
【００２２】
いくつかの実施形態では、本開示は、ユーザーディスプレイを分割する方法に関する。いくつかの実施形態では、本開示は、ディスプレイ分割のコンピュータ実装方法に関し、本方法は：ウェブページにアクセスしているユーザーを検出すること；ユーザーに関連したデータを収集すること；およびユーザーディスプレイを、ユーザーに関連したデータに基づくピクシレーションに対応する座標に分割することを含む。いくつかの実施形態では、本方法は、特定の座標または座標の組において、検出機能をアクティブ化または非アクティブ化することをさらに含む。いくつかの実施形態では、本方法は、終了動作の検出をさらに含む。いくつかの実施形態では、本方法は、終了動作の検出に関連した誤検出の数を削減するために、特定の座標または座標の組において、検出機能をアクティブ化または非アクティブ化するステップをさらに含む。
【００２３】
いくつかの実施形態では、「ユーザーに関連したデータ」という用語は、本開示のソフトウェアによって検出できるユーザーまたはユーザー装置に関する任意のデータを意味する。いくつかの実施形態では、ユーザーまたはユーザー装置に関するデータは、以下のデータセットのうちの１つまたは複数を含む：ユーザーによって使用される検索基準；ユーザーに関連したログイン情報；ユーザーに関連した閲覧履歴；ユーザーに関連した（ユーザーがそこからサイトに入った）照会履歴；ユーザー装置に関連付けられた識別子；ウェブサイトを見ている時間；ユーザーの画面またはモニター上の画素位置に対応するカーソル位置；モニターまたは画面の解像度；ユーザーのウェブブラウザ機能またはツールバーの位置設定；インターネット接続速度；Ｊａｖａｓｃｒｉｐｔの有効化に関する設定；ユーザーがウェブページに関連したウィンドウを最小化しているかどうか；ウェブページ上での非活動に関連した期間；カーソル速度の低速から高速へ、または高速から低速への遷移；ユーザーのｉｐアドレス；ユーザーのウェブブラウザの好み；ユーザーに関するデータが収集される時にユーザーによって見られている特定のＵＲＬまたはウェブサイトにユーザーを向けるためにユーザーによって使用された検索基準；ならびに、ユーザー装置ＲＡＭ、ユーザー装置総メモリ、および／または追跡装置設定などの、使用された情報および他のユーザー装置特性。いくつかの実施形態では、追跡装置設定は、カーソル感度を含む。カーソル速度およびカーソル感度を判断する方法は、当技術分野で既知であり、米国特許第５，１９１，６４１号に記載されており、それは、参照により全体として本明細書に組み込まれる。
【００２４】
本明細書で使用される場合、「ウェブブラウザ」という用語は、インターネットにアクセスするためにユーザー装置によって使用される任意のソフトウェアを意味する。いくつかの実施形態では、ウェブブラウザは：Ｉｎｔｅｒｎｅｔ  Ｅｘｐｌｏｒｅｒ、Ｆｉｒｅｆｏｘ、Ｓａｆａｒｉ、Ｃｈｒｏｍｅ、ＳｅａＭｏｎｋｅｙ、Ｋ−Ｍｅｌｅｏｎ、Ｃａｍｉｎｏ、ＯｍｎｉＷｅｂ、ｉＣａｂ、Ｋｏｎｑｕｅｒｏｒ、Ｅｐｉｐｈａｎｙ、Ｏｐｅｒａ、およびＷｅｂＫｉｔから選択される。
【００２５】
本明細書で使用される場合、「ユーザー装置に関連付けられた識別子」は、本明細書で説明する方法を実行するため、または本明細書で識別されたソフトウェアを実行するために、ユーザーによって使用されているユーザー装置のタイプの識別情報に関連した任意の情報を意味する。いくつかの実施形態では、ユーザー装置に関連付けられた識別子は：ユーザー装置のシリアル番号、ユーザー装置のロット情報、ユーザー装置の製造業者、ユーザー装置のソフトウェアアプリケーション、ユーザー装置のオペレーティングシステム、およびユーザー装置の所有者から選択される。
【００２６】
いくつかの実施形態では、ウェブページ上のユーザー動作の評価基準は、ユーザーがウェブページを離れようとしているかを検出するために利用され得、それは、次いで、後に広告をユーザーに提供するために利用され得る。いくつかの実施形態では、ユーザー動作は、カーソルジェスチャの形であり、それは、ユーザーによって制御される追跡装置を通じたウェブページ上でのカーソル移動を表す。ユーザー動作は、ユーザーがウェブページを離れようとしていることを示すか、または示唆する動作（以下、「終了意図」または「終了動作」と呼ぶ）を含み得る。カーソルジェスチャは、ウェブページでユーザーによって終了意図が示されているかを検出するために追跡される。いくつかの実施形態では、終了動作に関連する１つまたは複数のユーザー動作の検出は、ユーザーがウェブページを終了する前に、広告の配信をトリガーする。広告は、そのユーザーを対象とし、かつ／またはユーザーが見ていたウェブページ上のコンテンツに基づき得る。これは、ユーザーがウェブページコンテンツを見ることで費やされていない時間に、広告主（いくつかの実施形態では、ウェブページの所有者）が、ユーザーが関心のある特定の製品またはサービスに対する転換を強調および／または勧誘する機会を提供する。
【００２７】
いくつかの実施形態では、本開示は、インターネットにアクセスするユーザー装置の終了動作を検出するコンピュータ実装方法に関し、本方法は：ウェブページにアクセスしているユーザーを検出すること；ウェブページ上で終了動作を検出すること；および転換を目的とした１つまたは複数の勧誘を含む、広告ユニットを提供することを含む。いくつかの実施形態では、本方法は、転換勧誘コンテンツを表示する広告ユニットに応答して、転換動作を実行するユーザーを含む。
【００２８】
いくつかの実施形態では、本開示は、インターネットにアクセスするユーザー装置のユーザーの終了動作を検出するコンピュータ実装方法を実行するプロセッサを含むシステムに関し、本方法は：ウェブページにアクセスしているユーザーを検出すること；ウェブページ上で終了動作を検出することを含む。いくつかの実施形態では、本開示は、インターネットにアクセスするユーザー装置のユーザーの終了動作を検出するコンピュータ実装方法を実行するプロセッサを含むシステムに関し、本方法は：ウェブページにアクセスしているユーザーを検出すること；ウェブページ上で終了動作を検出すること；および１つまたは複数の転換を含む、広告ユニットを提供することを含む。いくつかの実施形態では、本方法は、転換を表示する広告ユニットに応答して、転換動作を実行するユーザーを含む。いくつかの実施形態では、システムは、終了動作の検出に応答して、転換動作を勧誘するプログラム製品を含む。いくつかの実施形態では、本開示は、少なくとも１つのプロセッサおよびコンピュータ可読メモリを含むシステムに関し、終了意図または終了動作を検出するためのプログラムコードをその上に格納している前記コンピュータ可読メモリは：ユーザー装置のユーザーに関連したデータを格納するための手段；終了意図の検出に応答して、ユーザーに対するユーザーインタフェースの一部として、広告を提示するための手段を含む。いくつかの実施形態では、本開示は、少なくとも１つのプロセッサ、そのプロセッサ上で実行可能なプログラムコードを格納するための、メモリなどの、プログラム記憶装置、ならびに、データ通信および／または周辺装置および／またはインタフェースなどの、１つもしくは複数の入力／出力装置および／またはインタフェースを備えるシステムに関する。いくつかの実施形態では、ユーザー装置およびコンピュータシステムまたは複数のシステムは、ローカルエリアネットワーク（ＬＡＮ）、インターネット、または同様のものなどの、データ通信ネットワークによって通信可能に接続され、それは、多くの他のクライアントおよび／またはサーバーコンピュータシステムにも接続され得る。ユーザー装置ならびにクライアントおよび／またはサーバーコンピュータシステムは、適切なオペレーティングシステムソフトウェアをさらに含み得る。
【００２９】
図１を参照すると、ウェブページ上で終了動作を検出し、終了動作の検出に基づき、インターネットユーザーにユーザー装置で広告を提供するように構成されたシステム１００のブロック図が提供される。システム１００は、ウェブサーバー１１０を含む。ウェブサーバー１１０は、ネットワーク１９０などの、１つまたは複数のネットワークを通じて、様々なユーザーにインターネットコンテンツを提供するために、様々なウェブサイト１２０ａ〜ｎをホストする。ネットワーク１９０は、インターネット、ローカルエリアネットワーク（ＬＡＮ）、ワイドエリアネットワーク（ＷＡＮ）、または同様のものなどの、任意のタイプの有線もしくは無線ネットワークまたはその組合せであり得る。ユーザーは、ユーザー装置１５０などの装置を通じて、ウェブサーバー１１０によって提供されたコンテンツにアクセスし得る。１つのウェブサーバー１１０および１つのユーザー装置１５０が例示されているが、追加のウェブサーバーおよび／またはユーザー装置がシステム１００に組み込まれ得る。ユーザー装置１５０で、ユーザーは、ウェブサイト１２０ａ〜ｎの１つに関連したウェブページ１６０にアクセスする。ユーザーは、１つまたは複数の追跡装置１７０の使用を通じて、ウェブページ１６０を操作し得、追跡装置１７０は、別個のハードウェア構成要素またはユーザー装置１５０内に統合された構成要素であり得る。追跡装置１７０の１つの一般的な例は、マウスであるが、本明細書で採用され得る追跡装置のタイプについて制限はない。他の例は、タッチパッド、トラッキングパッド、トラッキングボール、およびキーボードを含むが、それらに限定されない。ユーザーのタッチ（すなわち、指）も、ユーザー装置１５０がタッチ機能を含む場合、追跡装置のタイプと見なされ得る。ユーザー装置１５０に関して、例えば、制限なく、パーソナルコンピュータ、ラップトップ、デスクトップ、およびハンドヘルド有線または無線装置などの、追跡装置１７０がそれに取り付けられるか、またはその中に統合することができる任意のタイプの処理装置が使用され得る。いくつかの実施形態では、ユーザー装置は、１つまたは様々な位置で、ローカルに、またはリモートに操作される１つまたは複数のコンピュータプロセスを含む。１つまたは複数の追跡装置１７０の移動は、カーソルジェスチャによって表され、それは、ウェブページ１６０上のユーザーによって見られる。
【００３０】
ウェブサイト１２０ａ〜ｎの１つまたは複数は、終了動作検出モジュール１３０を含み得る。モジュール１３０は、コンピュータ可読記憶媒体上にコード化されるソフトウェア構成要素または他のコンピュータプログラム製品であり得、ソフトウェア構成要素または他のコンピュータプログラム製品は、任意選択で、命令（プログラム化されたスクリプトまたは同様のものなど）を含むか、または包含し、それは、実行される場合に、ウェブページ１６０上のカーソルジェスチャの移動の追跡および検出に関連した動作を引き起こす。モジュール１３０は、その機能を実装するために、ウェブサイト１２０ａ〜ｎ上に挿入またはロードされ得、その特徴について以下でさらに説明する。
【００３１】
終了動作検出モジュール１３０は、ウェブページ１６０上のカーソルジェスチャを追跡する機能を果たす。前述のように、カーソルジェスチャは、ユーザー装置１５０に関連した１つまたは複数の追跡装置１７０の移動を表す。このように、モジュール１３０は、ユーザーがウェブページ１６０を離れようとする時を検出することが可能である。様々なカーソル移動およびベクトルが、ウェブページ１６０上の終了意図を示し得；例えば、ユーザーがウェブページ１６０のコンテンツをスクロールし、次いで、追跡装置１７０（すなわち、カーソルジェスチャ）を、ウェブページ１６０を離れることに関連付けられているウェブページ１６０の部分に移動させる場合である。離れることに関連付けられたウェブページ１６０の部分は、アドレスバー、「ｘ」または「閉じる」ボタン、「戻る」ボタン、「ホーム」ボタン、ブラウザ検索ボックス、およびブックマークバーを含み得るが、それらに限定されない。
【００３２】
他の要因も終了意図の指標として機能し得；例えば、ウェブページ１６０のプレーンを交差して移動する（以下、ウェブページの「プレーンのブレーク」と呼ぶ）カーソルジェスチャである。プレーンのブレークは、ユーザーが、ウェブページ１６０上のコンテンツを熟読し終えて、（カーソルジェスチャによって表される）追跡装置１７０を、ウェブページ１６０を離れるような方法で移動させていることを示し得る。プレーンのブレークは、ウェブページ１６０を離れることに関連付けられたウェブページ１６０の部分の１つへのカーソルジェスチャ移動の動作であり得る。
【００３３】
終了意図の別の指標は、カーソルジェスチャがウェブページ１６０を交差して移動される速度である。カーソルジェスチャが、所定の値を上回って加速または移動する場合、これは、ユーザーがウェブページ１６０を離れようとしているのではなく、追跡装置１７０をうっかりぶつけたか、または別の方法で移動させた指標として機能し得る。他方、カーソルジェスチャが、例えば、所定の値以下で、ウェブページ１６０を交差して加速または移動する場合、ならびに、カーソルジェスチャがウェブページ１６０の底部から上部に移動される場合、これは終了意図の指標であり得る。
【００３４】
モジュール１３０は、ウェブページ１６０を見るために、ユーザー装置１５０上のユーザーによって利用されている特定のウェブブラウザに対して調整され得る。様々なウェブブラウザが、ウェブページを終了するための異なる手段および位置を採用し得るので、この調整は、必要かつ有益であり得る。例えば、ツールバーは、様々なウェブブラウザで異なる位置に配置され得る。その上、ツールバーのコンテンツ（例えば、ボタンおよび対応する機能）は様々なウェブブラウザ間で異なり得る。モジュール１３０は、様々なウェブブラウザに対するプログラミングスクリプトを含み得る。ウェブブラウザの検出は、モジュール１３０によって実行され得、適用可能なスクリプトが次いで、ユーザーが、対応するウェブブラウザでウェブページ１６０を見ている場合に適用され得る。ウェブブラウザの例は、Ｉｎｔｅｒｎｅｔ  Ｅｘｐｌｏｒｅｒ、Ｆｉｒｅｆｏｘ、Ｓａｆａｒｉ、Ｃｈｒｏｍｅ、Ｏｐｅｒａ、ＷｅｂＫｉｔ、およびそれらの様々なバージョンを含むが、それらに限定されない。
【００３５】
モジュール１３０は、オペレーティングシステム、Ｊａｖａｓｃｒｉｐｔが有効にされているか無効にされているか、ネットワーク接続速度、および画面の解像度などの、ユーザー装置１５０に関連した他の特性およびその設定も検出し得る。これらの特性は、終了動作検出で使用され得る。例えば、画面の解像度は、カーソルジェスチャがそこからウェブページ１６０の上部に移動される画素の数を示すために使用され得、それは、同様に、ユーザーが、ウェブページ１６０のプレーンをブレークすることによりウェブページ１６０を離れようとしていることを示す位置にカーソルジェスチャが移動されるかどうかを判断するために使用され得る。
【００３６】
図１を再度参照すると、複数の広告主１８０ａ〜ｎがシステム１００の一部として提供される。広告主１８０ａ〜ｎは、終了意図検出の場合に、ウェブページ１６０上に表示される広告を提供するために、ウェブサーバー１１０、および特に、終了動作検出モジュール１３０と、ネットワーク１９０を経由して通信し得る。当技術分野で既知である様々な広告オークションが、広告主１８０ａ〜ｎおよび対応する広告を選択するために採用され得る。前述のように、広告主１８０ａ〜ｎは、特定の顧客を対象とすることを欲し得、広告基準を満足する顧客がウェブページ１６０のユーザーとして識別される場合に広告を提供しようとし得る。広告の例は、コマーシャルおよび品目またはウェブサイトへのリンクを含む。広告は、第３者の供給源から提供される外部広告および、「自社広告」とも呼ばれる、内部広告を含み得る。内部広告は、他の特徴、製品、および／またはサービスを販売促進するために、ウェブページ１６０のホストによって提供され得る。例えば、ユーザーが、特定のテレビ網のウェブページ１６０を見ている場合に終了動作の検出が生じると、内部広告がユーザー装置のディスプレイ上のユーザーに提供され、その内部広告は、テレビ網によって製作されたテレビ番組を強調するコマーシャルを含む。
【００３７】
図２a〜図２bに関して、終了意図の検出が利用されているウェブページ１６０の一連のスクリーンショットが提供される。
【００３８】
図２aは、ユーザー装置１５０のユーザーに対して表示されるウェブページ１６０を示す。ウェブページ１６０は、ユーザーが検索を実行した製品（この場合、超薄型ラップトップ）を対象にする。しかし、ウェブページ１６０は、製品検索の結果である必要はない。実際のところ、終了意図の検出は、そのコンテンツに関わらず、任意のタイプのウェブページ１６０に適用され得る。
【００３９】
追跡装置１７０がウェブページ１６０を離れるために操作されていることを（カーソルジェスチャから明らかなように）検出すると、終了動作検出モジュール１３０は、広告ユニット２５０をユーザー装置１５０を介してユーザーに提供する。広告２５０は図２ｂに示されている。図示例では、広告２５０は、ウェブページ１６０の部分上に表示されるウィンドウ２６０内に投入される。広告２５０を強調するために、ウェブページ１６０は、ウィンドウ２６０よりも濃いコントラストで暗くされ得る。広告２５０がユーザーに対して提示され得る様々な方法があり、表示は図２ｂに示すものに制限されない。例えば、広告２５０は、より大きな部分またはウェブページ１６０全体を包含するような方法で、モーダルオーバーレイを通してウェブページ１６０に提示され得る。
【００４０】
ウェブページ１６０のユーザーの関与レベルに関連した判断を含め、終了動作の検出を支援および／または確認するために、他の任意選択の特徴が含まれ得る。いくつかの実施形態では、終了動作の検出が最適化され、終了動作を検出するステップは、ユーザーの関与レベルを判断することを含む。関与レベルは、ユーザーが、ウェブページ１６０に関与している（すなわち、興味がある）レベルに関する。関与レベルに関連する要因は、ユーザーがウェブページ１６０上でアクティブである時間；ユーザーが以前にウェブページ１６０を訪問したことがあるかどうか；ユーザーによって見られているリンクおよび／またはページの数；ならびにウェブページ１６０に向けるためにユーザーによって使用された、キーワード検索または以前に訪問されたウェブページの品質；ならびにユーザーがウェブページ１６０をカーソル移動でアドレス指定する頻度；ならびにユーザーがウェブページ１６０を見る時間に関連したカーソル移動の位置；を含むが、それらに限定されない。例えば、いくつかの実施形態では、終了動作の検出は、ウェブページ１６０の側部での移動によって判断されるウェブページ１６０のスクロール動作に応じる。関与の基準レベルは、モジュール１３０により、ユーザーによって示される関与レベルを判断するために比較点として使用されるように確立され得る。関与レベルが、関与の基準レベルを満足するか、またはそれを上回る場合、ユーザーは関与しているとして分類され得る。判断が確立され得、それは、広告または広告ユニットを関与しているユーザーに提供するためでも、特定のタイプの広告を関与しているユーザーに提供するためでもなく、終了動作検出モジュール１３０のプログラム化されたスクリプトに組み込まれる。いくつかの実施形態では、広告ユニットは、少なくとも１つの内部広告を含む、内部広告ユニットであり得る。「内部広告」は、ユーザー装置のユーザーが、それから出るかまたは離れて終了しようと欲するウェブサイト上に現れる情報、製品またはサービスについて伝達する広告である。いくつかの実施形態では、広告は、外部広告ユニットである。「外部広告ユニット」本判断は、一般に、ウェブサイト１２０のホストとリンクされ得る。例えば、関与しているユーザーが広告を受信することに興味がないこと、または関与しているユーザーに内部広告が提供されるべきことがウェブサイトホストによって見られ得る。関与の基準レベルに関連する基準値は、例えば：ユーザーがウェブページ１６０上でアクティブである時間としての５分；ウェブページ１６０への１週間以内に２回の訪問；ウェブページ１６０に対応するドメイン名に関連した５リンクおよび／または５ページの参照；ならびに３語のキーワード検索であり得る。ユーザーがこれらの基準値（ウェブサイト１２０によって確立されるような）の１つもしくは複数を満足するか、または上回る場合、ユーザーは関与しているとして分類され得る。ユーザーの関与を判断するための追加および／または代替の基準も、本開示の範囲内で使用され得る。
【００４１】
時間遅延特徴も終了動作検出モジュール１３０によって実行される終了動作検出に組み込まれ得る。時間遅延は、ユーザーが実際にウェブページ１６０を離れようとしていることを確認するために有益であり得、このようにして、ユーザーが離れようとしていることが検出されるが、実際にはユーザーは離れようとしていない、誤検出事例を回避する。時間遅延特徴は、広告を表示するため、終了意図を検出する前に、所定の期間の時間遅延を組み込むことにより動作し得る。所定の期間が経過した後、終了意図の後続の検出が見つかると、これは、終了意図の確認として機能し得る。しかし、所定の期間に続いて、終了意図が見られない場合、当初の検出は誤検出として分類され得、その場合、広告は提供されない。所定の期間の長さは、ウェブサイトホストごとに、個別ベースで確立され得る。いくつかの実施形態では、所定の期間は、ユーザーがウェブサイトのプレーンをブレークした後、約３、４、５、６秒、またはそれ以上である。いくつかの実施形態では、所定の期間は、ユーザーがウェブサイトのプレーンをブレークした後、約少なくとも３、４、５、６、７、８、９、１０秒、またはそれ以上である。いくつかの実施形態では、所定の期間は、ユーザーがウェブサイトのプレーンをブレークした後、わずか約３、４、５、６、７、８、９、１０秒、またはそれ以上である。いくつかの実施形態では、本明細書で説明する方法は、広告ユニットを提供する判断が、プレーンのブレークの後に順に終了意図を示す１つまたは複数のユーザー動作によって決まる最適化された方法で、ユーザー装置のユーザーの終了動作を検出することを含む。いくつかの実施形態では、本明細書で説明する方法は、広告ユニットを提供する判断が、プレーンのブレークの後に順に終了意図を示す１つまたは複数のユーザー動作によって決まる最適化された方法で、ユーザーの終了動作をユーザー装置で検出することを含む。いくつかの実施形態では、終了動作を検出するステップは、ウェブサイトの終了に関連したカーソルジェスチャを識別すること、および続いてユーザーが、画面上でカーソルを１つまたは複数の位置に移動させるのにかかる時間を監視することを含む。いくつかの実施形態では、終了動作を検出するステップは、ウェブサイトの終了に関連したカーソルジェスチャを識別すること、および続いて、広告ユニットがユーザーに提供される前に、ユーザーの活動または非活動のレベルを監視することを含む。いくつかの実施形態では、終了動作を検出するステップは、ウェブサイトの終了に関連したカーソルジェスチャを識別すること、および続いて、広告がユーザーに提供される前に、ユーザーの活動または非活動のレベルを監視することを含む。
【００４２】
活動・非活動特徴も、誤検出の発生を減らすために、本明細書で説明する方法、および本明細書で説明する終了動作の検出に組み込まれ得る。モジュール１３０は、ウェブページ１６０上のユーザーによる非活動を検出し得る。これは、カーソルジェスチャの追跡を通じて検出され得る。ある事前定義された非活動の期間に続いて、ユーザーがウェブページ１６０上で活動を再開する場合、モジュール１３０は、終了動作が検出されないか、またはトリガーされないように、カーソルジェスチャの監視を中断し得る。この機能も、ユーザーが、ウェブブラウザ上の複数のタブもしくはページを使用しているか、もしくは選択する場合、またはユーザーがウェブページ１６０を最小化する場合に、採用され得る。かかる場合、ユーザーが、１つまたは複数のウェブページ１６０を離れようとすることなく、１つまたは複数のウェブページ１６０を熟読しているので、終了動作検出は望ましくない可能性がある。
【００４３】
図３は、インターネットにアクセスするユーザー装置１５０のユーザーによってアクセスされたウェブページ１６０上で終了動作を検出する方法３００の流れ図である。本明細書で説明する動作の各々は、終了動作検出モジュール１３０で利用可能な、ウェブサーバー１１０に関連した１つまたは複数などの、１つまたは複数のプロセッサ上で実行されるプログラミング命令によって直接、またはそれに応答して実行できることが理解されるはずである。これらのソフトウェア命令は、ハードドライブ、ソリッドステートメモリ、光ディスク、フラッシュメモリ、マルチメディアカード、またはリモートプロセッサへのアクセスを介して、または同様のものを含む、任意の従来型の手段を介した実行のために格納できる。
【００４４】
３１０で、ウェブページ１６０をアクセスしているユーザーが検出される。３２０で、ウェブページ１６０上のユーザーによって、ウェブページ１６０上のカーソルジェスチャを通して制御される移動が追跡される。カーソルジェスチャを追跡することにより、終了動作が識別され得る。
【００４５】
３３０で、ユーザーによって制御される追跡された移動によるウェブページ１６０を離れる動作を表すカーソルジェスチャが識別される。上で詳述したように、ウェブページ１６０を離れる意図を表す動作は、所定の値以下のカーソルジェスチャの加速、ウェブページ１６０のプレーンのカーソルジェスチャでのブレーク、およびウェブページ１６０の終了に関連付けられたウェブページ１６０の部分へのカーソルジェスチャ移動を含み得る。
【００４６】
３４０で、ウェブページ１６０を離れる動作を表すカーソルジェスチャを識別する前に、ユーザー装置１５０に関連した特性が検出され得る。ユーザー装置１５０の特性のこの検出も、３２０で、カーソルジェスチャを通じてユーザーによって制御される移動の追跡と共に行われ得る。識別された特性は、ウェブページ１６０を離れる動作を表すカーソルジェスチャの識別を支援するために使用され得る。ユーザー装置１５０に関連した特性は、前述のように、ウェブブラウザのタイプ、オペレーティングシステム、Ｊａｖａｓｃｒｉｐｔの有効化（すなわち、有効にされているか無効にされているか）、ネットワーク接続速度、および画面の解像度のうちの１つまたは複数を含み得る。
【００４７】
図４は、終了意図の検出に基づき、広告をインターネットユーザーにユーザー装置１５０で提供する方法４００の流れ図である。本明細書で説明する動作の各々は、終了動作検出モジュール１３０で利用可能な、ウェブサーバー１１０に関連した１つまたは複数などの、１つまたは複数のプロセッサ上で実行されるプログラミング命令によって直接、またはそれに応答して実行できることが理解されるはずである。これらのソフトウェア命令は、ハードドライブ、ソリッドステートメモリ、光ディスク、フラッシュメモリ、または同様のものを含む、任意の従来型の手段を介した実行のために格納できる。
【００４８】
４１０で、ウェブページ１６０をアクセスしているユーザーが検出される。４２０で、ユーザーに関連したデータが収集される。データは、特定のユーザーに対して広告主１８０ａ〜ｎおよび広告を判断する際に使用され得る。データは、ブラウザ、インターネット接続速度、およびユーザー装置１５０のモニターの解像度に関連した情報を提供することにより、終了動作の検出を支援するためにも使用され得る。ユーザーに関連したデータは、ユーザー検索基準、ユーザー識別情報、ユーザーの好み、およびユーザー位置も含み得るが、それらに限定されない。データは、広告主１８０ａ〜ｎが適切な広告を提供するのを支援するために使用され得る。例えば、特定のユーザーの位置を有すること、ならびにあるユーザーの好み（例えば、ウェブサイトのブックマーク、オンライン閲覧履歴）を知ることにより、ユーザーにとって興味のありそうなサービスおよび／または製品に対する広告がユーザーに提示され得る。広告は、ウェブページ１６０に導いた、ユーザーが開始した検索に基づき得；このように、広告は、ウェブページ１６０上で提供されたものに対する代替として機能し得る。ユーザーに関連したデータは、ウェブページ上のユーザー検索基準、ユーザーに関連したログイン情報、ユーザーに関連した閲覧履歴、および／またはユーザー装置１５０に関連付けられた識別子（例えば、インターネットプロトコル（ＩＰ）アドレス）を取得することにより収集され得る。
【００４９】
４３０で、ウェブページ１６０上の終了動作が検出される。終了動作は、ウェブページ１６０上でユーザーによって制御される追跡された移動に基づき、ユーザーがウェブページ１６０を離れようとすることを示す動作を含む。例えば、所定の値以下のカーソルジェスチャの加速は、カーソルジェスチャ移動が、一定、または一定に近い速度で、ウェブページ１６０のプレーンを交差するので、終了動作を示し得る。ユーザーがウェブページ１６０を離れようとすることを示す動作は、ウェブページ１６０上のアドレスバーへの、ウェブページ１６０を離れることに関連付けられたウェブページ１６０の部分へのカーソルジェスチャ移動も含み得る。ユーザーがウェブページ１６０を離れようとすることを示す動作は、ブラウザ上の「終了」または「戻る」ボタンへのベクトルでのカーソルジェスチャ移動も含み得る。ユーザーがウェブページ１６０を離れようとすることを示す動作は、ウェブページ１６０のプレーンのブレーク後、時間遅延と組み合わせた、ブラウザ上の「終了」または「戻る」ボタンへのベクトルでのカーソルジェスチャ移動も含み得る。
【００５０】
４４０で、広告ユニットがウェブページ１６０上に表示される。広告ユニットは、１つまたは複数の広告を含み、ユーザーに関連したユーザーデータに少なくとも一部基づく。広告ユニットは、図２cに関連して前述したウィンドウ２６０などの、ウィンドウであり得る。広告ユニットの表示は、ウィンドウ２６０などのウィンドウに、１つまたは複数の広告２５０を投入すること、ウェブページ１６０の少なくとも一部上にウィンドウ２６０を表示すること、およびウィンドウ２６０がウェブページ１６０よりもコントラストが明るくなるように、ウェブページ１６０を暗くすることを含み得るが、それらに限定されない。広告２５０のコンテンツの例は、１つまたは複数の広告２５０に関連した情報を見るための広告ウェブページへのリンク、１つまたは複数の広告２５０に関連したテキスト記述、および１つまたは複数の広告２５０に関連したクリック可能なビデオを含み得る。しかし、提供され得る広告コンテンツに制限はない。いくつかの実施形態では、広告は、１つもしくは複数の広告および／またはユーザーに関連したデータに関連した広告情報もしくは販売促進情報を見るためのウェブサイトへのリンクである。いくつかの実施形態では、広告は、１つもしくは複数の広告および／またはユーザーに関連したデータに関連した広告情報もしくは販売促進情報を見るためのウェブサイトへのリンクを含む。いくつかの実施形態では、広告は、１つもしくは複数の広告および／またはユーザーに関連したデータに関連した製品またはサービスの販売を促進するためのウェブページへのリンクである。いくつかの実施形態では、広告は、１つもしくは複数の広告および／またはユーザーに関連したデータに関連した１つもしくは複数の製品またはサービスの販売を促進するためのウェブページへのリンクを含む。いくつかの実施形態では、広告は、ユーザーが、ユーザーに関連したデータに関連した製品に関する１つもしくは複数の広告または販売促進情報を、将来のある時期に、もしくは将来のある期間に渡って受信するための電子メールアドレスなどの、ユーザーの識別情報の勧誘を含む。いくつかの実施形態では、広告は、ユーザーが、ユーザーに関連したデータに関連した製品に関する１つもしくは複数の広告または販売促進情報を、将来のある時期に、もしくは将来のある期間に渡って受信するための電子メールアドレスなどの、ユーザーの識別情報の勧誘である。いくつかの実施形態では、広告ユニットは、少なくとも１つまたは複数の広告を含み、広告は、ユーザーが、ユーザーの電子メールアドレスなどの識別情報を提供するための勧誘を含む。いくつかの実施形態では、広告ユニットは、少なくとも１つまたは複数の広告を含み、１つまたは複数の広告は、ユーザーが、ユーザーの電子メールアドレスなどの識別情報を提供するための勧誘を含む。前述の任意の実施形態における電子メールアドレスは、１つもしくは複数の製品またはサービスに対する販売促進情報（クーポンなど）を、かかるサービスまたは製品がユーザーに関連したデータに関連する将来のある時期に、ユーザーに提供するために、ウェブサイト所有者によって使用できる。
【００５１】
前述のように、時間遅延の特徴は、終了動作検出モジュール１３０による処理に組み込まれ得る。この特徴は、ユーザーがウェブページ１６０を離れようとしていることを確実にするために、所定の期間が経過するのを待機することによりある誤検出を回避することを可能にする。方法４００の４５０で、終了意図を検出する前に、所定の期間の時間遅延が経過するのが可能にされる。かかる時間遅延に続いて、４６０で、ウェブページ１６０上での終了動作の後続の検出が実行される。終了動作が検出されると、方法３００は４４０に進んで、広告ユニットを表示する。終了動作が検出されない場合、方法４００は終了して、広告ユニットは表示されない。いくつかの実施形態では、時間遅延は、約３秒、約４秒、約５秒、約６秒、約７秒、または約８秒である。
【００５２】
また前述のように、関与レベルの特徴も、終了動作検出モジュール１３０によって採用され得る。４７０で、ウェブページ１６０上でのユーザーによる終了動作の検出と組み合わせて、ウェブページ１６０上のユーザーの関与レベルが判断される。ウェブサイト１２０のホストによって定義されるように、ウェブページ１６０上の関与のレベルが高い（すなわち、関与の基準レベルに関連した基準値を満足するか、または上回る）場合、ユーザーは、関与しているとして分類されて、広告ユニットはウェブページ１６０上に表示されない。方法４００は次いで、終了する。代わりに、ユーザーが関与しているとして分類されない場合、方法４００は４４０に進んで、広告を表示する。いくつかの実施形態では、本開示は、ユーザーの終了意図を判断することを含む、ユーザー装置のユーザーの関与レベルを判断することに関する。
【００５３】
図５は、ウェブブラウザ５２０に埋め込まれたウェブページ５１０を示す。ウェブブラウザ機能とウェブページとの間の接合部分が５３０に示される。ユーザー装置、ウェブブラウザなどの任意の１つまたは複数の他の前述した特性の検出と組み合わせて、接合部分５３０を交差するユーザーの垂直カーソル移動の検出の後、本実施形態では、ユーザーの好みおよびユーザー照会履歴に関連した、広告５４０が表示される。例えば、ユーザーが、カジュアル衣料に関連したウェブページを検索していたか、かつ／または見ている可能性があるという事実は、ソフトウェアがユーザーの終了意図を検出した後、ソフトウェアに、デニム衣料に関連した広告をトリガーさせる。
【００５４】
図６は、ウェブブラウザ６２０に埋め込まれたウェブページ６１０を示す。図５と同様に、ウェブブラウザとウェブページとの間の接合部分が６３０に示され、接合部分に位置付けられた画素の水平線で定義される。ソーシャルメディアセンターの多用に関連するユーザーの照会履歴と組み合わせて、接合部分６３０を交差するユーザーの垂直カーソル移動の検出の後、ユーザーをソーシャルメディア使用に関連した電子メールリストサーブに会員登録するように勧誘する、広告６４０が表示される。
【００５５】
以下の説明は、広告オークションの例であるが；任意のタイプの方法が、広告主および終了動作の検出時に表示される広告を取得するために採用され得る。終了動作が検出されると、広告を提供するために、１つまたは複数の広告主１８０ａ〜ｎの選択を開始する、広告主１８０ａ〜ｎの１つまたは複数に対する入札要求が提供され得る。入札要求は、終了動作検出モジュール１３０から送信され得る。終了動作検出モジュール１３０は、例えば、ユーザーに関連したユーザーデータに基づき、広告主１８０ａ〜ｎを選択し得る。広告主１８０ａ〜ｎの１つまたは複数から１つまたは複数の入札が受信され、各々の入札は、ウェブページ１６０上に表示される広告ユニットに対する広告の提供に関連付けられる。１つまたは複数の入札は、入札の優先順位リストを決定するために優先順位を付けられ得る。優先順位付けは、例えば、収益、ユーザーへの適用可能性、対応する広告主１８０ａ〜ｎの信頼性、および対応する広告の品質に基づき得る。広告ユニットが次いで、入札の優先順位リストに基づき、１つまたは複数の広告の少なくともサブセットで作成される。いくつかの実施形態に従って、他の適切な動作または動作の組が使用され得る。いくつかの動作または動作の組が、例えば、実質的に連続して、事前定義された反復回数、または１つもしくは複数の条件が満足されるまで、繰り返され得る。いくつかの実施形態では、いくつかの動作が、並行して、連続して、または他の適切な実行順序で、実行され得る。
【００５６】
いくつかの実施形態では、本明細書で説明する装置の構成要素および／またはユニットは、１つもしくは複数の通信チャネルまたは媒体またはリンク、例えば、共有アクセス媒体、グローバル通信ネットワーク、インターネット、ワールドワイドウェブ、有線ネットワーク、無線ネットワーク、１つもしくは複数の有線ネットワークおよび／または１つもしくは複数の無線ネットワークの組合せ、１つもしくは複数の通信ネットワーク、非共時的（ａ−ｓｙｎｃｈｒｏｎｉｃ）もしくは非同期無線ネットワーク、共時的無線ネットワーク、管理無線ネットワーク、非管理無線ネットワーク、バースト可能（ｂｕｒｓｔａｂｌｅ）無線ネットワーク、非バースト可能無線ネットワーク、計画的無線ネットワーク、非計画的無線ネットワーク、または同様のもの、を通じてやりとりすることが可能であり得る。
【００５７】
例えば、「処理する（ｐｒｏｃｅｓｓｉｎｇ）」、「計算する（ｃｏｍｐｕｔｉｎｇ）」、「計算する（ｃａｌｃｕｌａｔｉｎｇ）」、「判断する（ｄｅｔｅｒｍｉｎｉｎｇ）」または同様のものなどの用語を使用した、本明細書での説明は、コンピュータのレジスタおよび／もしくはメモリ内の物理的（例えば、電子）量として表されたデータを操作し、かつ／または、動作および／もしくは処理を実行するための命令を格納し得るコンピュータのレジスタおよび／もしくはメモリもしくは他の情報記憶媒体内の物理量として同様に表された他のデータに変換する、コンピュータ、コンピューティングプラットフォーム、コンピューティングシステム、または他の電子計算装置の動作（複数可）および／または処理（複数可）を指し得る。
【００５８】
いくつかの実施形態は、完全にハードウェア実施形態、完全にソフトウェア実施形態、またはハードウェアおよびソフトウェア要素の両方を含む実施形態の形を取り得る。いくつかの実施形態は、ソフトウェアで実装され得、それは、ファームウェア、常駐ソフトウェア、マイクロコード、または同様のものを含むが、それらに限定されない。
【００５９】
さらに、いくつかの実施形態は、コンピュータもしくは任意の命令実行システムによって、またはそれに関連して、使用するためのプログラムコードを提供するコンピュータ使用可能またはコンピュータ可読媒体からアクセス可能なコンピュータプログラム製品の形を取り得る。例えば、コンピュータ使用可能またはコンピュータ可読媒体は、命令実行システム、機器、もしくは装置によって、またはそれに関連して、使用するためのプログラムを包含、格納、伝達、伝搬、もしくは運搬できる、任意の機器であり得るか、または含み得る。
【００６０】
いくつかの実施形態では、媒体は、電子、磁気、光、電磁気、赤外線（ＩＲ）、もしくは半導体システム（または機器もしくは装置）もしくは伝搬媒体であり得るか、または含み得る。コンピュータ可読媒体のいくつかの実証例は、半導体もしくはソリッドステートメモリ、磁気テープ、取外し可能コンピュータディスケット、ランダムアクセスメモリ（ＲＡＭ）、読取り専用メモリ（ＲＯＭ）、固い磁気ディスク、光ディスク、または同様のものを含み得る。光ディスクのいくつかの実証例は、コンパクトディスク読取り専用メモリ（ＣＤ−ＲＯＭ）、コンパクトディスク−読取り／書込み（ＣＤ−Ｒ／Ｗ）、ＤＶＤ、または同様のものを含む。
【００６１】
いくつかの実施形態では、プログラムコードの格納および／または実行に適したデータ処理システムは、メモリ要素に、例えば、システムバスを通じて、直接的または間接的に結合された少なくとも１つのプロセッサを含み得る。メモリ素子は、例えば、プログラムコードの実際の実行中に採用されるローカルメモリ、大容量記憶装置、および実行中にコードが大容量記憶装置から取得される必要がある回数を減らすために少なくとも一部のプログラムコードの一時的な記憶を提供し得るキャッシュメモリを含み得る。
【００６２】
いくつかの実施形態では、入力／出力すなわちＩ／Ｏ装置（キーボード、ディスプレイ、ポインティング装置などを含むが、それらに限定されない）は、直接または介在するＩ／Ｏコントローラを通じてのいずれかでシステムに結合され得る。いくつかの実施形態では、ネットワークアダプタは、データ処理システムが、他のデータ処理システムまたはリモートプリンタまたは記憶装置に、例えば、介在するプライベートネットワークまたは公衆ネットワークを通して、結合されるようになることを可能にするために、システムに結合され得る。いくつかの実施形態では、モデム、ケーブルモデムおよびイーサネット（登録商標）カードは、ネットワークアダプタのタイプの実証例である。他の適切な構成要素が使用され得る。
【００６３】
いくつかの実施形態は、特定の用途に適切であり得るように、または特定の設計要件に従って、ソフトウェアによって、ハードウェアによって、またはソフトウェアおよび／もしくはハードウェアの任意の組合せによって実装され得る。いくつかの実施形態は、ユニットおよび／またはサブユニットを含み得、それは、全部または一部において、互いに別々であり得るか、または一緒に結合され得、特定、多目的もしくは汎用プロセッサまたはコントローラを使用して実装され得る。いくつかの実施形態は、データの一時的もしくは長期間記憶のため、または特定の実施態様の動作を容易にするために、バッファ、レジスタ、スタック、記憶ユニットおよび／もしくはメモリユニットを含み得る。
【００６４】
いくつかの実施形態は、例えば、マシンによって実行される場合に、そのマシンに本明細書で説明する方法および／または動作を実行させる、命令または命令のセットを格納し得る、マシン可読媒体または品目（ａｒｔｉｃｌｅ）を使用して実装され得る。かかるマシンは、例えば、任意の適切な処理プラットフォーム、コンピューティングプラットフォーム、コンピューティング装置、処理装置、電子装置、電子システム、コンピューティングシステム、処理システム、コンピュータ、プロセッサ、または同様のものを含み得、ハードウェアおよび／またはソフトウェアの任意の適切な組合せを使用して実装され得る。マシン可読媒体または品目は、例えば、任意の適切なタイプのメモリユニット、メモリ装置、メモリ品目、メモリ媒体、記憶装置、記憶品目、記憶媒体および／もしくは記憶ユニット；例えば、メモリ、取外し可能または固定型媒体、消去可能または消去不能媒体、書込み可能もしくは書換え可能媒体、デジタルもしくはアナログ媒体、ハードディスクドライブ、フロッピィディスク、コンパクトディスク読取り専用メモリ（ＣＤ−ＲＯＭ）、コンパクトディスク追記型（ＣＤ−Ｒ）、コンパクトディスク書換え可能型（ＣＤ−ＲＷ）、光ディスク、磁気媒体、様々なタイプのデジタル多用途ディスク（ＤＶＤ）、テープ、カセット、または同様のものを含み得る。命令は、任意の適切なタイプのコード、例えば、ソースコード、コンパイル済みコード、翻訳済みコード、実行可能コード、静的コード、動的コード、または同様のものを含み得、任意の適切な高水準、低水準、オブジェクト指向、ビジュアル、コンパイル済みおよび／もしくは翻訳済みプログラミング言語、例えば、Ｃ、Ｃ＋＋、Ｊａｖａ，ＢＡＳＩＣ、Ｐａｓｃａｌ、Ｆｏｒｔｒａｎ、Ｃｏｂｏｌ、アセンブリ言語、機械コード、または同様のものを用いて実装し得る。
【００６５】
１つもしくは複数の実施形態に関連して本明細書で説明した機能、動作、構成要素および／または特徴は、１つもしくは複数の他の実施形態に関連して本明細書で説明した１つもしくは複数の他の機能、動作、構成要素および／または特徴と組み合わされ得るか、またはそれらと組み合わせて使用され得、逆もまた同様である。
【００６６】
本開示は、例示的な実施形態に関して説明してきたが、それらに制限されない。当業者は、多数の変更および修正が、本開示の好ましい実施形態に対して行われ得ること、ならびにかかる変更および修正は、本開示の真の精神から逸脱することなく行われ得ることを理解するであろう。従って、添付の請求項は、全てのかかる均等な変形を、本開示の真の精神および範囲に含むとして包含すると解釈されることを意図する。
【図１】
0005985044.tif 000002
【図２Ａ】
0005985044.tif 000003
【図２Ｂ】
0005985044.tif 000004
【図３】
0005985044.tif 000005
【図４】
0005985044.tif 000006
【図５】
0005985044.tif 000007
【図６】
0005985044.tif 000008